(57)【要約】      （修正有） 【課題】青色光、紫外線及び電磁波等をろ過又は吸収することができる液晶画面用保護シート及び液晶画面用保護シートを貼り付けた液晶画面を有する通信端末装置を提供する。【解決手段】液晶画面に装着され得る液晶画面用保護シート１０であって、ＰＥＴ素材で構成された第１シート部材と、銅結晶を含む第２シート部材と、ＰＥＴ素材で構成された第３シート部材と、炭素粒子を含む第４シート部材と、ＰＥＴ素材で構成された第５シート部材と、静電気防止シートである第６シート部材と、ＰＥＴ素材で構成された第７シート部材と、を有し、各シート部材を積層して一体に形成したものである。【選択図】図１
0003196451.tif 000002
【実用新案登録請求の範囲】
【請求項１】
液晶画面に装着され得る液晶画面用保護シートであって、
ＰＥＴ素材で構成された第１シート部材と、
銅結晶を含む第２シート部材と、
ＰＥＴ素材で構成された第３シート部材と、
炭素粒子を含む第４シート部材と、
ＰＥＴ素材で構成された第５シート部材と、
静電気防止シートである第６シート部材と、
ＰＥＴ素材で構成された第７シート部材と、
を有し、
前記各シート部材を積層して一体に形成したものであることを特徴とする液晶画面用保護シート。
【請求項２】
請求項１に記載の液晶画面用保護シートが装着された液晶画面を有することを特徴とする通信端末装置。
【考案の詳細な説明】
【技術分野】
【０００１】
本考案は、例えば、携帯電話装置等の液晶画面に装着するための液晶画面用保護シート及び当該液晶画面用保護シートを貼り付けた液晶画面を有する通信端末装置に関する。
【背景技術】
【０００２】
従来から携帯電話装置等の液晶画面に装着する液晶画面用保護シートが知られている。液晶画面用保護シートは、液晶画面の保護を主目的とするものであるが、近年、下記に示す問題点が指摘されている。
【先行技術文献】
【特許文献】
【０００３】
【特許文献１】実用新案登録第３１５５７３８号
【考案の概要】
【考案が解決しようとする課題】
【０００４】
第１の問題点として、液晶画面から放射する青色光による問題である。青色光が使用者の目に入射すると、使用者の視力に悪影響を及ぼすことが明らかにされている。
【０００５】
第２の問題点として、室外から液晶画面に入射する紫外線の反射による問題である。室外から液晶画面に紫外線が入射すると、液晶画面で紫外線が反射して使用者の目や皮膚等に照射する。これにより、使用者の視力への悪影響、皮膚の乾燥、しみ、そばかすの原因になることが明らかにされている。
【０００６】
第３の問題点として、液晶画面から発生する磁気放射による問題である。磁気放射には、電磁波や紫外線が含まれており、これらが使用者に対して悪影響を及ぼす。
【０００７】
そこで、本考案は、上記問題を解決するためのものであり、青色光、紫外線及び電磁波等をろ過しあるいは吸収することにより、上記３つの問題点を同時に解決することができる液晶画面用保護シート及び液晶画面用保護シートを貼り付けた液晶画面を有する通信端末装置を提供することを目的とする。
【課題を解決するための手段】
【０００８】
本考案は、液晶画面に装着され得る液晶画面用保護シートであって、ＰＥＴ素材で構成された第１シート部材と、銅結晶を含む第２シート部材と、ＰＥＴ素材で構成された第３シート部材と、炭素粒子を含む第４シート部材と、ＰＥＴ素材で構成された第５シート部材と、静電気防止シートである第６シート部材と、ＰＥＴ素材で構成された第７シート部材と、を有し、前記各シート部材を積層して一体に形成したものであることを特徴とする。
【０００９】
本考案は、本考案の液晶画面用保護シートが装着された液晶画面を有する通信端末装置である。
【考案の効果】
【００１０】
本考案によれば、青色光、紫外線及び電磁波等をろ過しあるいは吸収することができる。
【図面の簡単な説明】
【００１１】
【図１】本考案の第１実施形態の液晶画面用保護シートの斜視図である。
【図２】本考案の第１実施形態の液晶画面用保護シートの部分断面図である。
【図３】本考案の第１実施形態の液晶画面用保護シートを装着した通信端末装置の平面図である。
【考案を実施するための形態】
【００１２】
本考案の第１実施形態に係る液晶画面用保護シート及び液晶画面用保護シートを貼り付けた液晶画面を有する通信端末装置について、図面を参照して説明する。
【００１３】
図１及び図２に示すように、液晶画面用保護シート１０は、例えば、樹脂製の７枚のシート部材（フィルム部材）が厚み方向に沿って積層されて構成された一体のフィルムシートである。以下、７枚のシート部材の材質について説明する。
【００１４】
第１シート部材１０Ａは、ポリエチレンテレフタラート（ＰＥＴ素材）で構成されたシートである。第１シート部材１０Ａの表面は、ポリエチレン樹脂（ＰＥ）の剥離膜として機能する。第１シート部材１０Ａは、第２シート部材１０Ｂの上面に積層される。
【００１５】
第２シート部材１０Ｂは、銅結晶で構成されたシートである。第２シート部材１０Ｂは、銅結晶の効果により、表面を保護する機能がある。第２シート部材１０Ｂは、第３シート部材１０Ｃの上面に積層される。
【００１６】
第３シート部材１０Ｃは、ポリエチレンテレフタラート（ＰＥＴ素材）で構成されたシートである。第３シート部材１０Ｃの表面は、アンチグレア加工されており、アンチグレアシートとして機能する。第３シート部材１０Ｃは、第４シート部材１０Ｄの上面に積層される。
【００１７】
第４シート部材１０Ｄは、炭素粒子を含んだ素材であるナノミックスシートである。第４シート部材１０Ｄは、第５シート部材１０Ｅの上面に積層される。
【００１８】
第５シート部材１０Ｅは、ポリエチレンテレフタラート（ＰＥＴ素材）で構成されたシートである。第５シート部材１０Ｅは、ＰＥＴ保護膜として機能する。第５シート部材１０Ｅは、第６シート部材１０Ｆの上面に積層される。
【００１９】
第６シート部材１０Ｆは、静電気防止イオンシートである。第６シート部材１０Ｆは、静電気珪素イオン吸着面として機能する。第６シート部材１０Ｆは、第７シート部材１０Ｇの上面に積層される。
【００２０】
第７シート部材１０Ｇは、ポリエチレンテレフタラート（ＰＥＴ素材）で構成されたシートである。第７シート部材１０Ｇは、ＰＥＴ剥離フィルムとして機能する。なお、第７シート部材１０Ｇの下面は、粘着性を有しており、液晶画面１２Ａに貼り付けられる。
【００２１】
これらの各シート部材１０Ａ、１０Ｂ、１０Ｃ、１０Ｄ、１０Ｅ、１０Ｆ、１０Ｇが積層されて一体のフィルムシートに形成される。本考案は、上記材質の７枚のシート部材１０Ａ、１０Ｂ、１０Ｃ、１０Ｄ、１０Ｅ、１０Ｆ、１０Ｇが積層されることにより、はじめて相乗効果が発揮され、本考案の課題を解決することができる。
【００２２】
ここで、図３に示すように、液晶画面用保護シート１０は、液晶画面１２Ａに装着されるものである。液晶画面１２Ａは、例えば、携帯電話装置等の通信端末装置１２、テレビ（図示省略）、デスクトップ型ＰＣのディスプレイ（図示省略）等の液晶画面である。
【００２３】
液晶画面用保護シート１０には、例えば、所定の開口部１１を形成してもよい。開口部１１は、液晶画面用保護シート１０を液晶画面１２Ａに装着したときに通信端末装置１２側に設けられたカメラ、センサ等の光学部品又は電気部品との接触を回避するために機能する。
【００２４】
本実施形態の液晶画面用保護シート１０は、以下の作用効果を実現することができる。
【００２５】
第１実施形態の液晶画面用保護シート１０によれば、第１の問題点を解決するための作用効果として、７層の各シート部材１０Ａ、１０Ｂ、１０Ｃ、１０Ｄ、１０Ｅ、１０Ｆ、１０Ｇが積層されていることにより、青色光をろ過して取り除くことができる。具体的には、液晶画面１２Ａが放射する波長３８０〜４２０ナノメートルの高エネルギー短波青色光が液晶画面用保護シート１０でろ過される。これにより、青色光による人体への悪影響を低減できる。
【００２６】
第２の問題点を解決するための作用効果として、７層の各シート部材１０Ａ、１０Ｂ、１０Ｃ、１０Ｄ、１０Ｅ、１０Ｆ、１０Ｇが積層されていることにより、外部から液晶画面１２Ａに入射する紫外線又は液晶画面で反射した紫外線を吸収することができる。これにより、紫外線が使用者の皮膚や目に入射することを抑制でき、紫外線による人体への悪影響を低減できる。
【００２７】
第３の問題点を解決するための作用効果として、７層の各シート部材１０Ａ、１０Ｂ、１０Ｃ、１０Ｄ、１０Ｅ、１０Ｆ、１０Ｇが積層されていることにより、全ての電気エネルギーを工学エネルギーに転換する際に転換されなかった電気エネルギー、あるいは磁気放射の中に含まれる電磁波、紫外線をろ過することができる。これにより、電磁波、紫外線による人体への悪影響を低減できる。
【００２８】
また、液晶画面用保護シート１０を液晶画面１２Ａに装着した通信端末装置１２によれば、同様にして、上記した３つの問題点を同時に解決することができる。
【符号の説明】
【００２９】
１０      液晶画面用保護シート
１０Ａ    第１シート部材
１０Ｂ    第２シート部材
１０Ｃ    第３シート部材
１０Ｄ    第４シート部材
１０Ｅ    第５シート部材
１０Ｆ    第６シート部材
１０Ｇ    第７シート部材
１１      開口部
１２      通信端末装置
１２Ａ    液晶画面
【図１】
0003196451.tif 000003
【図２】
0003196451.tif 000004
【図３】
0003196451.tif 000005
【手続補正書】
【提出日】平成27年1月7日(2015.1.7)
【手続補正１】
【補正対象書類名】実用新案登録請求の範囲
【補正対象項目名】全文
【補正方法】変更
【補正の内容】
【実用新案登録請求の範囲】
【請求項１】
液晶画面に装着され得る液晶画面用保護シートであって、
ＰＥＴ素材で構成された第１シート部材と、
銅結晶を含む第２シート部材と、
ＰＥＴ素材で構成された第３シート部材と、
炭素粒子を含む第４シート部材と、
ＰＥＴ素材で構成された第５シート部材と、
静電気防止シートである第６シート部材と、
ＰＥＴ素材で構成された第７シート部材と、
を有し、
前記第２シート部材は、前記第１シート部材と前記第３シート部材との間に挟まれて位置し、
前記第４シート部材は、前記第３シート部材と前記第５シート部材との間に挟まれて位置し、
前記第６シート部材は、前記第５シート部材と前記第７シート部材との間に挟まれて位置し、
前記各シート部材を厚み方向に沿って積層して一体に形成したものであることを特徴とする液晶画面用保護シート。
【請求項２】
請求項１に記載の液晶画面用保護シートが装着された液晶画面を有することを特徴とする通信端末装置。